(57)【要約】【課題】印字項目を文字内容だけでなく文字サイズやフォントや配置の正否も確認できる。【解決手段】印字項目の確認操作を入力する入力手段と、入力手段により確認操作が終了したことを判定する判定手段と、判定手段が確認操作は終了したと判定した場合に、印字イメージに基づく印字を行う印字手段と、確認操作が必要な印字項目について、確認操作前の印字項目と確認操作後の印字項目とで異なる態様で表示し、さらに確認対象以外の印字項目とも異なる態様で表示する表示手段とを備える。【選択図】図１
2018130868.tif 000002
【特許請求の範囲】
【請求項１】
印字項目の確認操作を入力する入力手段と、
前記入力手段により確認操作が終了したことを判定する判定手段と、
前記判定手段が前記確認操作は終了したと判定した場合に、印字イメージに基づく印字を行う印字手段と、
前記確認操作が必要な印字項目について、確認操作前の印字項目と確認操作後の印字項目とで異なる態様で表示し、さらに確認対象以外の印字項目とも異なる態様で表示する表示手段と、
を備えることを特徴とする印字装置。
【請求項２】
前記判定手段は、
前記印字項目の全てを確認すると、確認操作が終了したと判定する第１の判定モードと、
前記印字項目の一部を確認すると、確認操作が終了したと判定する第２の判定モードと、
を備えることを特徴とする請求項１に記載の印字装置。
【請求項３】
前記第１の判定モードと前記第２の判定モードとを選択する選択手段
を備えることを特徴とする請求項２に記載の印字装置。
【請求項４】
同一の印字項目が複数ある場合、前記入力手段により一方の印字項目に確認操作が入力されると、他方の印字項目にも確認操作が入力されたとみなす、みなし入力手段
を備えることを特徴とする請求項１から請求項３のいずれか１項に記載の印字装置。
【請求項５】
前記表示手段は、前記判定手段が前記確認操作は終了したと判定した場合に、印字操作を受け付ける表示をする
ことを特徴とする請求項１から請求項４のいずれか１項に記載の印字装置。
【請求項６】
前記表示手段は、前記確認操作が入力されていない印字項目への確認を誘導する
ことを特徴とする請求項１から請求項５のいずれか１項に記載の印字装置。
【発明の詳細な説明】
【技術分野】
【０００１】
本発明は、印字装置に関する。
【背景技術】
【０００２】
ラベルプリンタにおいて、印字内容の誤記は店舗の信用問題となるため、発行前には確認作業が必要となる。特許文献１には、印字前に、印字項目の確認を促す技術が記載されている。
【先行技術文献】
【特許文献】
【０００３】
【特許文献１】特開２０１６−２１８９４７号公報
【発明の概要】
【発明が解決しようとする課題】
【０００４】
しかしながら、特許文献１に記載の技術では、メッセージにより印字項目の確認を促しているため、文字サイズやフォントや配置までは判断出来ないという問題があった。
【０００５】
本発明は、このような事情に鑑みてなされたもので、印字項目を文字内容だけでなく文字サイズやフォントや配置の正否も確認できる印字装置を提供することを目的とする。
【課題を解決するための手段】
【０００６】
上述した課題を解決する本発明の一態様は、印字項目の確認操作を入力する入力手段と、前記入力手段により確認操作が終了したことを判定する判定手段と、前記判定手段が前記確認操作は終了したと判定した場合に、印字イメージに基づく印字を行う印字手段と、前記確認操作が必要な印字項目について、確認操作前の印字項目と確認操作後の印字項目とで異なる態様で表示し、さらに確認対象以外の印字項目とも異なる態様で表示する表示手段と、を備えることを特徴とする印字装置である。
【０００７】
また、本発明の一態様は、上記の印字装置において、前記判定手段は、前記印字項目の全てを確認すると、確認操作が終了したと判定する第１の判定モードと、前記印字項目の一部を確認すると、確認操作が終了したと判定する第２の判定モードと、を備えることを特徴とする。
【０００８】
また、本発明の一態様は、上記の印字装置において、前記第１の判定モードと前記第２の判定モードとを選択する選択手段を備えることを特徴とする。
【０００９】
また、本発明の一態様は、上記の印字装置において、同一の印字項目が複数ある場合、前記入力手段により一方の印字項目に確認操作が入力されると、他方の印字項目にも確認操作が入力されたとみなす、みなし入力手段を備えることを特徴とする。
【００１０】
また、本発明の一態様は、上記の印字装置において、前記表示手段は、前記判定手段が前記確認操作は終了したと判定した場合に、印字操作を受け付ける表示をすることを特徴とする。
【００１１】
また、本発明の一態様は、上記の印字装置において、前記表示手段は、前記確認操作が入力されていない印字項目への確認を誘導することを特徴とする。
【発明の効果】
【００１２】
本発明によれば、実際に印字される態様に近い状態で印字項目の確認作業を行うことができる。
【図面の簡単な説明】
【００１３】
【図１】本発明の実施形態におけるラベルプリンタ（印字装置）の外観構成を示す斜視図である。
【図２】本発明の実施形態におけるラベルプリンタの構成を示すブロック図である。
【図３】本発明の実施形態におけるラベルプリンタがＲＡＭに記憶する商品ファイルのデータ構成及びデータ例を示す図である。
【図４】本発明の実施形態におけるラベルプリンタがＲＡＭに記憶する確認項目ファイルのデータ構成及びデータ例を示す図である。
【図５】本発明の実施形態におけるラベルプリンタが表示する印字項目確認画面の一例を示すイメージ図である。
【図６】本発明の実施形態におけるラベルプリンタが表示する印字項目確認画面の一例を示すイメージ図である。
【図７】本発明の実施形態におけるラベルプリンタが表示する印字項目確認画面の一例を示すイメージ図である。
【図８】本発明の実施形態におけるラベルプリンタが実行する確認処理の処理手順の一例を示したフローチャートである。
【図９】各ラベルの印字イメージをタブに分ける場合における印字項目確認画面の一例を示すイメージ図である。
【図１０】未確認の確認項目に誘導する際の動作を説明するための図である。
【図１１】未確認の確認項目に誘導する際の動作を説明するための図である。
【図１２】ラベルプリンタが表示する値付け画面の一例を示すイメージ図である。
【発明を実施するための形態】
【００１４】
以下、本発明の実施形態について図面を参照して説明する。図１は本実施形態におけるラベルプリンタ（印字装置）１の外観構成を示す斜視図である。このラベルプリンタ１は、例えば販売店のバックヤードに設置され、各種商品又は商品容器に貼付するラベルを発行する装置であり、基台部１０の上面に、操作表示部１３と、キー操作部１５とを設置し、また基台部１０の前面に一対のラベル発行口１７，１９を設置し、さらに商品計量用のはかり部３０をケーブル（無線でも良い）で接続して構成されている。
【００１５】
図２は、本実施形態におけるラベルプリンタ１の構成を示すブロック図である。ラベルプリンタ１は、制御部２０と、はかり部３０と、印字部４０と、操作部５０とを備えている。はかり部３０はロードセル３１を備え、商品の重量を計量する。印字部４０は第１，第２印字機構部４１，４３を有している。これら第１，第２印字機構部４１，４３は、何れもラベルの印字を行い、印字したラベルをラベル発行口１７，１９から排出する。操作部５０はキー操作部１５と、操作表示部１３（１３ａ，１３ｂ）とを備える。キー操作部１５はテンキーと印字キーとモード選択キーとを備える。テンキーは数字の入力を受け付ける。印字キーは印字指示の入力を受け付ける。モード選択キーは、後述する判定モードの選択を受け付ける。操作表示部１３は液晶表示器１３ａにタッチパネル１３ｂが積層された構造となっており、同一面でデータの表示と入力とができるようになっている。液晶表示器１３ａは各種データの表示を行う。タッチパネル１３ｂは操作者の指が触れると、触れた位置を検出し、検出した位置に応じた入力を受け付ける。
【００１６】
制御部２０は、ＣＰＵ２１と、ロードセル制御部２２と、印字制御部２３と、操作制御部２４と、表示制御部２５と、ＲＯＭ２６と、ＲＡＭ２７とを備えている。ＣＰＵ２１はバスを介して制御部２０が備える各部と相互に接続されている。
【００１７】
ＣＰＵ２１は、ＲＯＭ２６が記憶する制御プログラムとＲＡＭ２７が記憶する各種情報を読み出し、読み出した制御プログラムと各種情報とに基づいて各部の制御を行う。またＣＰＵ２１は、必要な情報をＲＡＭ２７に記憶させる。ロードセル制御部２２は、はかり部３０が備えるロードセル３１の制御を行う。印字制御部２３は印字部４０の制御を行う。操作制御部２４は、キー操作部１５と、タッチパネル１３ｂの制御を行う。タッチパネル１３ｂは、液晶表示器１３ａに表示された下記する印字イメージのプレビュー画面をタッチすることで、プレビュー画面中のタッチした項目を指定する。表示制御部２５は、液晶表示器１３ａの制御を行う。即ち表示制御部２５は、ＲＡＭ２７に記憶されている印字データやフォーマット情報等に基づいて、下記する印字イメージをプレビュー画面として液晶表示器１３ａに表示させる。ＲＡＭ２７は、ＣＰＵ２１が用いる情報を記憶する一時記憶領域である。またＲＡＭ２７は、値を操作者が入力（設定）する各種ファイル（後述）を記憶する。ＲＯＭ２６は制御プログラムを記憶する。
【００１８】
図３は、本実施形態におけるラベルプリンタ１がＲＡＭ２７に記憶する商品ファイルのデータ構成及びデータ例を示す図である。同図に示す商品ファイルは、商品番号、品名、単価、加工日、消費期限、原産地等の各商品情報を有している。
【００１９】
図４は、本実施形態におけるラベルプリンタ１がＲＡＭ２７に記憶する確認項目ファイルのデータ構成及びデータ例を示す図である。同図に示す確認項目ファイルは、確認操作が必要な印字項目である確認項目を有している。印字項目は、ラベルに印字される項目（例えば、商品情報）である。図示する例では、確認項目は、品番（商品番号）、単価／値段、日時、広告文、産地名称（原産地等）、イメージ、内容量・内容量単位、上下限重量、コメント、保存温度、個体識別番号／ロット番号、添加物、バーコード、店名、製造者、風袋、品名、加工日時、賞味日時（消費期限）である。
【００２０】
次に、本ラベルプリンタ１の動作について説明する。以下、ラベルプリンタ１が、商品又は商品容器に貼付する商品ラベルと、商品が陳列される棚に貼付する棚ラベルとの２枚のラベルを一度の印字操作で略同時に発行する場合について説明する。操作者は、ラベルを発行するために、キー操作部１５の印字キーを押下する。ラベルプリンタ１は、印字キーが入力を受け付けると、印字イメージのプレビュー画面であって、発行するラベルの確認項目を確認するための印字項目確認画面を操作表示部１３に表示する。
【００２１】
図５〜図７は、本実施形態におけるラベルプリンタ１が表示する印字項目確認画面の一例を示すイメージ図である。印字項目確認画面には、発行するラベルそれぞれの印字イメージが表示されている。図示する例では、商品ラベルの印字イメージＳと棚ラベルの印字イメージＴとが並んで表示されている。よって、操作者は、複数あるラベルの印字イメージを１つの画面で確認することができる。また、印字項目確認画面には、表示を拡大する拡大ボタンＺＩと、表示を縮小するＺＯボタンと、ラベルの発行を中止する中止ボタンＣとが設置されている。
【００２２】
ラベルプリンタ１は、確認項目の全てを確認すると確認操作が終了したと判定する第１のモードと、確認項目の一部を確認すると確認操作が終了したと判定する第２のモードとの２つの判定モードを有する。ラベルプリンタ１は、第１のモードと第２のモードとを選択する選択手段を備える。例えば、ラベルプリンタ１は、キー操作部１５のモード選択キーが入力を受け付けると、判定モードを切り替える。
【００２３】
まず、第１のモード時における動作について説明する。第１のモードでは、同一の確認項目が複数ある場合に、一方の確認項目に確認操作が入力されると、他方の確認項目にも確認操作が入力されたとみなす、みなし入力機能を設定することが可能である。図５〜図６は、第１のモード時にみなし入力機能が設定されているときの動作を説明するための図である。図５（Ａ）は、初期状態、すなわち、確認項目に確認操作が入力されていない状態を示す。表示制御部２５は、確認が必要な印字項目である確認項目を印字イメージ上に表示する。この際、表示制御部２５は、印字イメージにおいて、確認項目と確認項目でない印字項目とを表示態様を異ならせて表示する。本例では、表示制御部２５は、確認項目ファイルを参照して確認項目を特定し、特定した確認項目の中心に二重丸のマークを付し、その表示範囲を橙の長方形で囲んでいる（表示色を橙としている）。また、表示制御部２５は、確認項目でない印字項目を全て無色としている。また、表示制御部２５は、確認項目の確認を促すメッセージ「ラベルイメージの確認をしてください。◎の付いた対象エリアをすべてタッチしてください。」を印字項目確認画面に表示する。
【００２４】
本例における商品ラベルの確認項目は、単価「３９８円」、値段「３２６円」及び賞味期限（消費日時）「１６．１２．２５」である。また、棚ラベルの確認項目は、単価「３９８円」、値段「３２６円」、賞味期限「１６．１２．２５」及びプラマークである。よって、商品ラベルと棚ラベルとに共通する確認項目は、単価、値段及び賞味期限である。
【００２５】
操作者は、マークが付された未確認（確認操作が入力されていない）の確認項目を確認すると、確認した確認項目に確認操作を入力する。本実施形態では、確認操作は、操作表示部１３に表示された確認項目をタッチする操作である。よって、タッチパネル１３ｂは、確認項目の確認操作を入力する。ＣＰＵ２１は、操作制御部２４がタッチパネル１３ｂにおいて確認項目にタッチする操作を検出すると、当該確認項目を確認済（確認操作が入力された）とする。表示制御部２５は、確認済となった確認項目に付されたマークを削除するとともに、その表示範囲を青の長方形で囲む（表示色を青にする）。
【００２６】
図５（Ｂ）は、確認項目「値段」の確認操作が入力された状態を示す。例えば、表示制御部２５は、商品ラベルの印字イメージＳ上で、値段に対する確認操作が入力されると、商品ラベルの印字イメージＳ上の値段に付されたマークを削除するとともに、その表示色を青にする。
【００２７】
また、ＣＰＵ２１は、確認操作が入力された確認項目と同一の確認項目がある場合には、当該同一の確認項目にも確認操作が入力されたとみなし、確認済とする。すなわち、ＣＰＵ２１は、同一の確認項目が複数ある場合、一方の確認項目に確認操作が入力されると、他方の確認項目にも確認操作が入力されたとみなす。本例では、確認項目「値段」は、商品ラベルと棚ラベルとに共通する確認項目であるため、棚ラベルの値段に対しても確認操作が入力されたものとみなされ、棚ラベルの値段も確認済となる。そのため、表示制御部２５は、棚ラベルの印字イメージＴ上の値段に付されたマークを削除するとともに、その表示色を青にする。
【００２８】
図６（Ａ）は、商品ラベルの確認項目全てに対し確認操作が入力された状態を示す。例えば、ＣＰＵ２１は、商品ラベルの印字イメージＳ上で、全ての確認項目に確認操作が入力されると、商品ラベルの全ての確認項目を確認済とするとともに、棚ラベルにおいて商品ラベルと共通する確認項目全てを確認済とする。これにより、未確認の確認項目は、棚ラベルのプラマークのみとなる。
【００２９】
図６（Ｂ）は、図６（Ａ）に示す状態のときにプラマークに対する確認操作が入力され、全ての確認項目に対し確認操作が入力された状態を示す。ＣＰＵ２１は、全ての確認項目に確認操作が入力されると、確認操作が終了したと判定する。表示制御部２５は、ＣＰＵ２１が確認操作は終了したと判定した場合に、印字操作を受け付けるラベル発行ボタンＰを印字項目確認画面に表示する。また、表示制御部２５は、ラベル発行ボタンＰの押下を促すメッセージ「よろしければ発行ボタンを押してください。」を印字項目確認画面に表示する。印字制御部２３は、ラベル発行ボタンＰが入力を受け付けると、印字部４０に商品ラベル及び棚ラベルを発行させる。印字部４０は、印字イメージに基づく印字を行い、商品ラベル及び棚ラベルを発行する。
【００３０】
なお、ＣＰＵ２１は、第１のモード時にみなし入力機能が設定されていない場合には、複数ある同一の確認項目のうち一方に確認操作が入力されたとしても、他方の確認項目に確認操作が入力されたとはみなさず、全てのラベルの全ての確認項目に確認操作が入力された場合に、確認操作が終了したと判定する。
【００３１】
続いて、第２のモード時における動作について説明する。図７は、第２のモード時における動作を説明するための図である。図７（Ａ）は、初期状態、すなわち、確認項目に確認操作が入力されていない状態を示す。本実施形態では、ＣＰＵ２１は、第２のモード時には、１枚目のラベルである商品ラベルの確認項目全てに確認操作が入力された場合に、確認操作が終了したと判定する。すなわち、ＣＰＵ２１は、棚ラベルにある確認項目に確認操作が入力されていない場合であっても、商品ラベルにある確認項目全てに確認操作が入力されると、確認操作が終了したと判定する。本例では、表示制御部２５は、確認項目ファイルを参照して商品ラベルの確認項目を特定し、特定した確認項目に二重丸のマークを付し、その表示色を橙としている。一方、表示制御部２５は、棚ラベルの確認項目であって商品ラベルの確認項目でないプラマークにはマークを付さずにその表示色を確認項目でない他の印字項目と同様に無色としている。
【００３２】
図７（Ｂ）は、商品ラベルの確認項目全てに確認操作が入力された状態であって、棚ラベルの確認項目に確認操作が入力されていない状態を示す。図示するように、商品ラベルの印字イメージＳ上の確認項目は全てマークが削除されその表示色が青になっているのに対し、棚ラベルの印字イメージＴ上の確認項目は全てマークが付されその表示色が橙になっている。ＣＰＵ２１は、商品ラベルの全ての確認項目に対して確認操作が入力されると、確認操作が終了したと判定する。すなわち、ＣＰＵ２１は、棚ラベルにおいて未確認の確認項目がある場合であっても、商品ラベルの確認項目が全て確認済である場合には、確認操作が終了したと判定する。表示制御部２５は、ＣＰＵ２１が確認操作は終了したと判定した場合に、印字操作を受け付けるラベル発行ボタンＰを印字項目確認画面に表示する。印字制御部２３は、ラベル発行ボタンＰが入力を受け付けると、印字部４０に商品ラベル及び棚ラベルを発行させる。印字部４０は、印字イメージに基づく印字を行い、商品ラベル及び棚ラベルを発行する。
【００３３】
図８は、本実施形態におけるラベルプリンタ１が実行する確認処理の処理手順の一例を示したフローチャートである。ラベルプリンタ１は、キー操作部１５の印字キーが入力を受け付けた際に、本図に示す処理を実行する。
【００３４】
（ステップＳ１０１）表示制御部２５は、確認項目にマークを付すとともにその表示色を橙にして、各ラベルの印字イメージを操作表示部１３に表示する。その後、ステップＳ１０２の処理に進む。
【００３５】
（ステップＳ１０２）操作制御部２４は、確認項目に対する確認操作の入力を受け付けたか否かを判定する。確認操作の入力を受け付けたと操作制御部２４が判定した場合には、ステップＳ１０３の処理に進む。また、確認操作の入力を受け付けていないと操作制御部２４が判定した場合には、ステップＳ１０２の処理を再度実行する。
【００３６】
（ステップＳ１０３）ＣＰＵ２１は、確認操作の入力を受け付けた確認項目を確認済にする。表示制御部２５は、印字イメージにおいて、確認済の確認項目に付されたマークを削除するとともに、その表示色を青にする。その後、ステップＳ１０４の処理に進む。
【００３７】
（ステップＳ１０４）ＣＰＵ２１は、現在の判定モードが第１のモードであるか第２のモードであるかを判定する。第１のモードであるとＣＰＵ２１が判定した場合には、ステップＳ１０５の処理に進む。また、第２のモードであるとＣＰＵ２１が判定した場合には、ステップＳ１０９の処理に進む。
【００３８】
（ステップＳ１０５）ＣＰＵ２１は、みなし入力機能が設定されているか否かを判定する。みなし入力機能が設定されているとＣＰＵ２１が判定した場合には、ステップＳ１０６の処理に進む。また、みなし入力機能が設定されていないとＣＰＵ２１が判定した場合には、ステップＳ１０８の処理に進む。
【００３９】
（ステップＳ１０６）ＣＰＵ２１は、確認操作の入力を受け付けた確認項目と同一の確認項目があるか否かを判定する。同一の確認項目があるとＣＰＵ２１が判定した場合には、ステップＳ１０７の処理に進む。また、同一の確認項目がないとＣＰＵ２１が判定した場合には、ステップＳ１０８の処理に進む。
【００４０】
（ステップＳ１０７）ＣＰＵ２１は、同一の確認項目を全て確認操作があったものとみなし、確認済にする。表示制御部２５は、確認済の確認項目に付されたマークを削除するとともに、その表示色を青にする。その後、ステップＳ１０８の処理に進む。
【００４１】
（ステップＳ１０８）ＣＰＵ２１は、全ての確認項目が確認済であるか否かを判定する。全ての確認項目が確認済であるとＣＰＵ２１が判定した場合には、ステップＳ１１０の処理に進む。また、未確認の確認項目があるとＣＰＵ２１が判定した場合には、ステップＳ１０２の処理に戻る。
【００４２】
（ステップＳ１０９）ＣＰＵ２１は、１枚目のラベルの確認項目が全て確認済であるか否かを判定する。１枚目のラベルの確認項目が全て確認済であるとＣＰＵ２１が判定した場合には、ステップＳ１１０の処理に進む。また、１枚目のラベルに未確認の確認項目があるとＣＰＵ２１が判定した場合には、ステップＳ１０２の処理に戻る。
【００４３】
（ステップＳ１１０）ＣＰＵ２１は、確認操作が終了したと判定する。表示制御部２５は、ラベル発行ボタンを印字項目確認画面に表示する。その後、ステップＳ１１１の処理に進む。
【００４４】
（ステップＳ１１１）操作制御部２４は、ラベル発行ボタンが入力を受け付けたか否かを判定する。ラベル発行ボタンが入力を受け付けたと操作制御部２４が判定した場合には、ステップＳ１１２の処理に進む。また、ラベル発行ボタンが入力を受け付けていないと操作制御部２４が判定した場合には、ステップＳ１１１の処理を再度実行する。
【００４５】
（ステップＳ１１２）印字制御部２３は、印字部４０にラベルを発行させる。その後、処理を終了する。
【００４６】
以上説明したように、本実施形態のラベルプリンタ１は、印字項目の確認操作を入力するタッチパネル１３ｂと、確認操作が終了したことを判定するＣＰＵ２１と、確認操作が終了したと判定した場合に、印字イメージに基づく印字を行う印字部４０と、確認操作が必要な印字項目について、確認操作前の印字項目と確認操作後の印字項目とで異なる態様で表示し、さらに確認対象以外の印字項目とも異なる態様で表示する表示制御部２５とを備える。
【００４７】
この構成により、ラベルプリンタ１は、印字イメージを表示し、そのイメージ上に確認すべき対象であるか否かを分かる態様で表示させることができる。これにより単に印字項目の文言の正否を確認するだけでなく、文字サイズやフォント、配色、ラベルにおける配置（レイアウト）等を容易に確認することが出来る。これにより、試し印字によりラベルを無駄にする虞もない。
【００４８】
さらに、確認項目は確認後であっても確認対象外（無色）とは異なる態様で表示されている（無色にはならずに青くなる）ため、確認を終え印字が出来る状態であっても注意喚起を継続して促すことが出来る。
【００４９】
また、本実施形態のラベルプリンタ１は、確認が必要な印字項目を印字イメージ上に表示する表示制御部２５と、印字項目の確認操作を入力するタッチパネル１３ｂと、確認操作が終了したことを判定するＣＰＵ２１と、確認操作が終了したと判定した場合に、印字イメージに基づく印字を行う印字部４０と、を備え、ＣＰＵ２１は、印字項目の全てを確認すると、確認操作が終了したと判定する第１の判定モードと、印字項目の一部を確認すると、確認操作が終了したと判定する第２の判定モードとを備える。
【００５０】
上記構成によれば、ラベルプリンタ１は、確認操作の終了を判定するモードを複数備えているため、状況や運用に応じてモードを使い分けることができる。これにより、効率的にラベルを発行することができる。
【００５１】
例えば、特許文献１には、印字前に、印字項目の確認を促し、さらに履歴に応じて確認を省略できる技術が記載されている。しかしながら、特許文献１に記載の技術では、初めて印字を行う対象は印字履歴が無いため、印字項目の確認を省略ができず効率が悪いという問題があった。一方、本実施形態では上述したように、ラベルプリンタ１は、確認操作の終了を判定するモードを複数備えているため、状況や運用に応じてモードを使い分けることができる。これにより、効率的にラベルを発行することができる。
【００５２】
また、本実施形態におけるラベルプリンタ１は、第１のモードと第２のモードとを選択するキー操作部１５を備える。これにより、状況や運用に応じて、確認操作の終了を判定するモードを選択することができる。
【００５３】
また、ＣＰＵ２１は、同一の印字項目が複数ある場合、一方の印字項目に確認操作が入力されると、他方の印字項目にも確認操作が入力されたとみなす。これにより、同一の印字項目が複数ある場合に、確認操作を省略することができるため、確認作業を効率的に行うことができる。
【００５４】
また、表示制御部２５は、確認操作が必要な印字項目と確認操作が必要でない印字項目とを表示態様を異ならせて表示する。これにより、操作者は、どの印字項目に対し確認操作が必要であるかを容易に判別することができる。
【００５５】
また、表示制御部２５は、確認操作が終了したと判定した場合に、印字操作を受け付ける表示をする。これにより、確認操作が終了した場合にのみ印字操作を受け付けるため、確認操作が終了する前に印字されることを防ぐことができる。
【００５６】
以上、この発明の実施形態について図面を参照して詳述してきたが、具体的な構成はこの実施形態に限られるものではなく、この発明の要旨を逸脱しない範囲の設計等も含まれる。
【００５７】
例えば、上述した実施形態では、発行する複数のラベルの印字イメージを１つの画面上に表示しているが、これに限らず、例えば、タブを用いて印字イメージを表示するラベルを切り替えるようにしてもよい。図９は、各ラベルの印字イメージをタブに分ける場合における印字項目確認画面の一例を示すイメージ図である。本図に示す印字項目確認画面には、発行するラベルそれぞれの印字イメージを表示するためのタブが設置されている。図示する例では、商品ラベルの印字イメージを表示するタブ１と、棚ラベルの印字イメージを表示するタブ２とがある。図９（Ａ）はタブ１が選択され商品ラベルの印字イメージが表示された状態を示し、図９（Ｂ）はタブ２が選択され棚ラベルの印字イメージが表示された状態を示す。よって、操作者は、各タブを選択することにより、印字イメージを表示するラベルを切り替えることができる。
【００５８】
また、プリンタ１は、印字項目確認画面において未確認の確認項目がある場合に、当該確認項目への確認を誘導してもよい。図１０は、未確認の確認項目に誘導する際の動作を説明するための図である。例えば、表示制御部２５は、印字イメージ全体を表示している図１０（Ａ）に示す状態のときに、拡大ボタンＺＩが入力を受け付けると、図１０（Ｂ）に示すように表示を拡大させる。
【００５９】
そして、ＣＰＵ２１は、図１０（Ｂ）に示す状態のときに、値段及び単価に対して確認操作の入力を受け付けると、値段及び単価を確認済とする。表示制御部２５は、図１０（Ｃ）に示すように、確認済となった値段及び単価に付されたマークを削除するとともに、表示色を青にする。このとき、印字項目確認画面に表示されていない賞味期限は未確認のままである。そのため、表示制御部２５は、未確認の確認項目があることを通知するメッセージ「未確認の項目が残っています」Ｍを印字項目確認画面に表示する。これにより、操作者は、未確認の確認項目があることを知ることができる。
【００６０】
さらに、表示制御部２５は、図１０（Ｄ）に示すように、確認操作が入力されていない確認項目「賞味期限」への確認を誘導するために、拡大を保持したまま、未確認の確認項目「賞味期限」に表示を切り替える。これにより、操作者は、どの確認項目が未確認であるかを知ることができ、確認作業をより効率的に行うことができる。なお、図示した例では、同一の印字イメージ内で未確認の確認項目がある場合について説明したが、別の印字イメージ（または別のタブ）への誘導も同様にすることができる。
【００６１】
なお、確認操作が入力されていない確認項目への確認を誘導する表示はこれに限らず、例えば、図１１に示すように、印字イメージ全体を表示することにより確認操作が入力されていない確認項目「賞味期限」への確認を誘導してもよい。
【００６２】
また、上述した実施形態では、ラベルプリンタ１は、印字項目確認画面において、確認項目に対する確認操作の入力を受け付けているが、これに限らず、例えば、印字項目を入力するための値付け画面等の他の画面において確認操作の入力を受け付けてもよい。図１２は、ラベルプリンタ１が表示する値付け画面の一例を示すイメージ図である。図示するように、値付け画面には、発行するラベルの印字イメージＩが表示される。印字イメージＩは、印字項目確認画面に表示するものと同一のものである。なお、ラベルプリンタ１は、値付け画面において確認操作が終了した場合には、印字項目確認画面を表示せずに、値付け画面にラベル発行ボタンを表示し、ラベル発行ボタンが入力を受け付けると、ラベルを発行する。
【００６３】
また、上述した実施形態では、タッチパネル１３ｂにおいて確認項目をタッチする操作を確認操作としたが、これに限らず、例えば、各確認項目の値を操作者が読み上げた音声を音声認識により解析する等、他の操作であってもよい。
さらに、音声認識の場合、タッチ操作の場合とは異なり、読み上げた音声情報と事前に登録されている登録音声情報との一致の判断を行うことができるため、より正確な確認業務を実現することが出来る。また、確認時の音声情報を担当者ごとに再生可能な操作履歴として残しても良い。
【００６４】
また、上述した実施形態では、未確認の確認項目の表示態様として、対象となる項目の表示範囲を橙の長方形で囲み、中心に二重丸のマークを付しているが、いずれか一方のみでもよく、また、色もマーク形状もこれに限定されない。同様に、確認済の確認項目の表示態様も、確認済であることを判別することができればよく、上述した実施形態のものに限定されない。
【００６５】
また、上述した実施形態では、ラベルプリンタ１は、第２のモード時には、１枚目のラベルの確認項目に確認操作が入力された場合に、確認操作が終了したと判定しているが、これに限らず、例えば、２枚目以降のラベルの確認項目に確認操作が入力された場合に、確認操作が終了したと判定する等、確認項目の一部に確認操作が入力された場合に、確認操作が終了したと判定するものであればよい。
【００６６】
また、上述した実施形態では、ラベルプリンタ１は、ラベル発行ボタンを表示することにより印字操作を受け付ける表示をしているが、これに限らず、「印字ができる状態になりました」等のメッセージを表示するだけでもよい。
【００６７】
また、上述した実施形態では、第１のモード時のみなし入力機能について、異なるラベルに同一の確認項目がある場合について説明したが、同一のラベルに同一の確認項目がある場合にも、同様に、一方の確認項目に確認操作が入力されると、他方の確認項目にも確認操作が入力されたとみなしてもよい。例えば、アレルギー物質や栄養成分等の表示は同一ラベル内で複数個所に印字される可能性がある。
【００６８】
なお、上述のラベルプリンタ１としての機能を実現するためのプログラムをコンピュータ読み取り可能な記録媒体に記録して、この記録媒体に記録されたプログラムをコンピュータシステムに読み込ませ、実行することにより上述のラベルプリンタ１としての処理を行ってもよい。ここで、「記録媒体に記録されたプログラムをコンピュータシステムに読み込ませ、実行する」とは、コンピュータシステムにプログラムをインストールすることを含む。ここでいう「コンピュータシステム」とは、ＯＳや周辺機器等のハードウェアを含むものとする。また、「コンピュータシステム」は、インターネットやＷＡＮ、ＬＡＮ、専用回線等の通信回線を含むネットワークを介して接続された複数のコンピュータ装置を含んでもよい。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。このように、プログラムを記憶した記録媒体は、ＣＤ−ＲＯＭ等の非一過性の記録媒体であってもよい。
【００６９】
また、記録媒体には、当該プログラムを配信するために配信サーバからアクセス可能な内部または外部に設けられた記録媒体も含まれる。配信サーバの記録媒体に記憶されるプログラムのコードは、端末装置で実行可能な形式のプログラムのコードと異なるものでもよい。すなわち、配信サーバからダウンロードされて端末装置で実行可能な形でインストールができるものであれば、配信サーバで記憶される形式は問わない。なお、プログラムを複数に分割し、それぞれ異なるタイミングでダウンロードした後に端末装置で合体される構成や、分割されたプログラムのそれぞれを配信する配信サーバが異なっていてもよい。さらに「コンピュータ読み取り可能な記録媒体」とは、ネットワークを介してプログラムが送信された場合のサーバやクライアントとなるコンピュータシステム内部の揮発性メモリ（ＲＡＭ）のように、一定時間プログラムを保持しているものも含むものとする。また、上記プログラムは、上述した機能の一部を実現するためのものであってもよい。さらに、上述した機能をコンピュータシステムにすでに記録されているプログラムとの組み合わせで実現できるもの、いわゆる差分ファイル（差分プログラム）であってもよい。
【符号の説明】
【００７０】
１  ラベルプリンタ（印字装置）、１０  基台部、１３  操作表示部、１３ａ  液晶表示器、１３ｂ  タッチパネル、１５  キー操作部、１７，１９  ラベル発行口、２０  制御部、２１  ＣＰＵ、２２  ロードセル制御部、２３  印字制御部、２４  操作制御部、２５  表示制御部、２６  ＲＯＭ、２７  ＲＡＭ、３０  はかり部、３１  ロードセル、４０  印字部、４１  第１印字機構部、４３  第２印字機構部、５０  操作部
【図１】
2018130868.tif 000003
【図２】
2018130868.tif 000004
【図３】
2018130868.tif 000005
【図４】
2018130868.tif 000006
【図５】
2018130868.tif 000007
【図６】
2018130868.tif 000008
【図７】
2018130868.tif 000009
【図８】
2018130868.tif 000010
【図９】
2018130868.tif 000011
【図１０】
2018130868.tif 000012
【図１１】
2018130868.tif 000013
【図１２】
2018130868.tif 000014